(57)【特許請求の範囲】
【請求項１】
複数の光ファイバ心線を並行に並べてパスラインを走行させ、前記パスラインの途中で、前記光ファイバ心線のうちの隣り合う心線の間に長手方向に間欠的に接着樹脂を塗布する工程と、該接着樹脂を硬化させる工程を有する間欠連結型の光ファイバテープ心線を製造する製造方法であって、
前記間欠的に接着樹脂を塗布する工程は、前記パスライン中に設置された円盤状のファイバローラーと、直径が円周方向で均一かつ前記ファイバローラーよりも直径が大きく、かつ周縁部近傍の円周方向の一部に前記接着樹脂を保持するための空隙部を有する円盤状の仕切り板と、を交互に積層してなる接着樹脂搬送ローラーを、回転させながら硬化していない前記接着樹脂に浸して前記空隙部に前記接着樹脂を保持させた後、走行中の前記光ファイバ心線の間に前記仕切り板を挟み込むようにして前記光ファイバ心線を前記仕切り板に接触させ、前記空隙部に保持した前記接着樹脂を前記光ファイバ心線に長手方向に間欠的に塗布する工程である、光ファイバテープ心線の製造方法。
【請求項２】
前記空隙部は、前記仕切り板の周縁部近傍に設けられたスリットである、請求項１に記載の光ファイバテープ心線の製造方法。
【請求項３】
前記空隙部は、前記仕切り板の周縁部近傍に設けられた、少なくとも一つ以上の孔である、請求項１に記載の光ファイバテープ心線の製造方法。
【請求項４】
前記接着樹脂搬送ローラーは、動力で駆動されて回転する、請求項１から請求項３のいずれか一項に記載の光ファイバテープ心線の製造方法。
【請求項５】
前記接着樹脂搬送ローラーよりも前記パスラインの上流側に光ファイバ心線の走行速度を検出するセンサが配置され、
前記センサが検出した走行速度の情報を用いて、前記接着樹脂搬送ローラーの回転速度を制御する、請求項４に記載の光ファイバテープ心線の製造方法。
【請求項６】
前記接着樹脂搬送ローラーは、動力により駆動されずに、前記光ファイバ心線とローラーとの摩擦により回転する、請求項１から請求項３のいずれか一項に記載の光ファイバテープ心線の製造方法。
【請求項７】
複数の光ファイバ心線を並行に並べてパスラインを走行させ、前記パスラインの途中に、前記光ファイバ心線のうちの隣り合う心線の間に長手方向に間欠的に接着樹脂を塗布する装置と、該接着樹脂を硬化させる装置と、を有する間欠連結型の光ファイバテープ心線を製造する製造装置であって、
前記間欠的に接着樹脂を塗布する装置は、
前記パスライン中に設置された円盤状のファイバローラーと、直径が円周方向で均一かつ前記ファイバローラーよりも直径が大きく、かつ周縁部近傍の円周方向の一部に接着樹脂を保持するための空隙部を有する円盤状の仕切り板と、を交互に積層してなる接着樹脂搬送ローラーと、
接着樹脂を貯留する接着樹脂槽と、からなる、光ファイバテープ心線の製造装置。
【請求項８】
前記空隙部は、前記仕切り板の周縁部近傍に設けられたスリットである、請求項７に記載の光ファイバテープ心線の製造装置。
【請求項９】
前記空隙部は、前記仕切り板の周縁部近傍に設けられた、少なくとも一つ以上の孔である、請求項７に記載の光ファイバテープ心線の製造装置。
【請求項１０】
前記接着樹脂搬送ローラーを回転させる駆動部を備える、請求項７から請求項９のいずれか一項に記載の光ファイバテープ心線の製造装置。
【請求項１１】
前記接着樹脂搬送ローラーよりも前記パスラインの上流側に配置され前記光ファイバ心線の走行速度を検出するセンサと、
前記センサにより検出された前記走行速度の情報を用いて、前記駆動部を制御する制御部を備える、請求項１０に記載の光ファイバテープ心線の製造装置。
【請求項１２】
前記接着樹脂搬送ローラーは、前記光ファイバ心線との摩擦により回転するように設置されている、請求項７から請求項９のいずれか一項に記載の光ファイバテープ心線の製造装置。
【発明の詳細な説明】
【技術分野】
【０００１】
本発明は、光ファイバテープ心線の製造方法および製造装置に関する。
【背景技術】
【０００２】
容易に単心分離することができる光ファイバテープ心線として、隣接する光ファイバ同士を長手方向に間欠的に連結した間欠連結型の光ファイバテープ心線を製造する方法が知られている。例えば、特許文献１には、平行に配列した状態で走行する光ファイバ線間を保持する仕切り片に、樹脂を吐出する吐出口を設けて、樹脂の吐出量・吐出タイミングを制御して、間欠的に光ファイバ同士を連結する方法が開示されている。特許文献２には、側面に間欠的に接着樹脂を付けたローラーを走行する平行に並べた光ファイバ心線に押し付けて、接着樹脂を光ファイバ心線に転写することにより間欠的に光ファイバ心線同士を接着する方法が開示されている。
【先行技術文献】
【特許文献】
【０００３】
【特許文献１】特許第５４６９０４４号公報
【特許文献２】特許第５７５９７９５号公報
【発明の概要】
【発明が解決しようとする課題】
【０００４】
ところが、特許文献１に開示された方法では、仕切り片に設けられた吐出口に対して樹脂を間欠的に供給する必要があるが、樹脂は粘性を持つために供給と停止を繰り返す時間周期にはおのずと上限がある。このため、光ファイバ心線を高速に走行させて間欠連結型の光ファイバテープ心線を製造することが難しく、製造時間がかかるため製造コストが高くなる。また、特許文献２に開示された方法では、不要な個所に接着剤が付着し、所望の間欠連結の形状が得られないおそれがある。
【０００５】
そこで、本発明の目的は、製造コストを高くすることなく、光ファイバ心線を高速に走行させて所望の形状に間欠的に連結した間欠連結型の光ファイバテープ心線を製造することができる光ファイバテープ心線の製造方法および製造装置を提供することにある。
【課題を解決するための手段】
【０００６】
本発明の一態様に係る光ファイバテープ心線の製造方法は、複数の光ファイバ心線を並行に並べてパスラインを走行させ、前記パスラインの途中で、前記光ファイバ心線のうちの隣り合う心線の間に長手方向に間欠的に接着樹脂を塗布する工程と、該接着樹脂を硬化させる工程を有する間欠連結型の光ファイバテープ心線を製造する製造方法であって、
前記間欠的に接着樹脂を塗布する工程は、前記パスライン中に設置された円盤状のファイバローラーと、直径が円周方向で均一かつ前記ファイバローラーよりも直径が大きく、かつ周縁部近傍の円周方向の一部に前記接着樹脂を保持するための空隙部を有する円盤状の仕切り板と、を交互に積層してなる接着樹脂搬送ローラーを、回転させながら硬化していない前記接着樹脂に浸して前記空隙部に前記接着樹脂を保持させた後、走行中の前記光ファイバ心線の間に前記仕切り板を挟み込むようにして前記光ファイバ心線を前記仕切り板に接触させ、前記空隙部に保持した前記接着樹脂を前記光ファイバ心線に長手方向に間欠的に塗布する工程である。
【０００７】
複数の光ファイバ心線を並行に並べてパスラインを走行させ、前記パスラインの途中に、前記光ファイバ心線のうちの隣り合う心線の間に長手方向に間欠的に接着樹脂を塗布する装置と、該接着樹脂を硬化させる装置と、を有する間欠連結型の光ファイバテープ心線を製造する製造装置であって、
前記間欠的に接着樹脂を塗布する装置は、
前記パスライン中に設置された円盤状のファイバローラーと、直径が円周方向で均一かつ前記ファイバローラーよりも直径が大きく、かつ周縁部近傍の円周方向の一部に接着樹脂を保持するための空隙部を有する円盤状の仕切り板と、を交互に積層してなる接着樹脂搬送ローラーと、
接着樹脂を貯留する接着樹脂槽と、からなる。
【発明の効果】
【０００８】
本発明によれば、製造コストを高くすることなく、光ファイバ心線を高速に走行させて所望の形状に間欠的に連結した間欠連結型の光ファイバテープ心線を製造することができる。
【図面の簡単な説明】
【０００９】
【図１】実施の形態に係る光ファイバテープ心線の製造装置の概略図である。
【図２】接着樹脂搬送ローラーと接着樹脂槽の構成を示す図であり、（ａ）は平面図、（ｂ）はＧ−Ｇ断面図である。
【図３】各仕切り板の構成を示す平面図である。
【図４】接着樹脂搬送ローラーの回転による接着樹脂の塗布を説明する領域ＡからＦの各断面図である。
【図５】線間に所望の間隔で接着樹脂が間欠的に塗布された複数の光ファイバ心線の平面図である。
【図６】図５の断面図である。
【図７】仕切り板の変形例を示す平面図である。
【発明を実施するための形態】
【００１０】
［本発明の実施形態の説明］
最初に本発明の実施形態を列記して説明する。
本発明の実施形態に係る光ファイバテープ心線の製造方法は、
（１）  複数の光ファイバ心線を並行に並べてパスラインを走行させ、前記パスラインの途中で、前記光ファイバ心線のうちの隣り合う心線の間に長手方向に間欠的に接着樹脂を塗布する工程と、該接着樹脂を硬化させる工程を有する間欠連結型の光ファイバテープ心線を製造する製造方法であって、
前記間欠的に接着樹脂を塗布する工程は、前記パスライン中に設置された円盤状のファイバローラーと、直径が円周方向で均一かつ前記ファイバローラーよりも直径が大きく、かつ周縁部近傍の円周方向の一部に前記接着樹脂を保持するための空隙部を有する円盤状の仕切り板と、を交互に積層してなる接着樹脂搬送ローラーを、回転させながら硬化していない前記接着樹脂に浸して前記空隙部に前記接着樹脂を保持させた後、走行中の前記光ファイバ心線の間に前記仕切り板を挟み込むようにして前記光ファイバ心線を前記仕切り板に接触させ、前記空隙部に保持した前記接着樹脂を前記光ファイバ心線に長手方向に間欠的に塗布する工程である。
なお、上記の「直径が円周方向で均一」とは、円周方向の直径が厳密に均一であることを意味するものではなく、均一とみなされる範囲であれば本発明の効果を奏する範囲で幅を持つ意味である。
【００１１】
上記（１）の光ファイバテープ心線の製造方法によれば、走行中の光ファイバ心線を仕切り板とファイバローラーに接触させるが、仕切り板の空隙部を設けた部分では、この仕切り板に隣接する光ファイバ心線の側面に、空隙部に保持された接着樹脂が塗布される。このため、仕切り板で空隙部を設けた部分と設けられていない部分とを光ファイバ心線に接触させることで、光ファイバ心線間に間欠的に接着樹脂を塗布することができる。
また、光ファイバ心線の位置は接着樹脂搬送ローラーで固定されるので、位置決め精度を上げるための精密な機構は必要ない。
また、接着樹脂搬送ローラーを回転させながら硬化していない接着樹脂に浸すことで接着樹脂を供給するだけなので、接着樹脂を間欠的に供給する機構は必要がなく、このため、光ファイバを高速に走行させながら間欠的に樹脂を塗布できる。
よって、製造コストを高くすることなく、光ファイバ心線を高速に走行させて所望の形状に間欠的に連結した間欠連結型の光ファイバテープ心線を製造することができる。
【００１２】
（２）  （１）の光ファイバテープ心線の製造方法において、前記空隙部は、前記仕切り板の周縁部近傍に設けられたスリットである。
仕切り板の周縁部近傍に設けられたスリットに接着樹脂を保持できるので、仕切り板でスリットを設けた部分と設けられていない部分とを光ファイバ心線に接触させて、光ファイバ心線間に間欠的に接着樹脂を塗布することができる。
【００１３】
（３）  （１）の光ファイバテープ心線の製造方法において、前記空隙部は、前記仕切り板の周縁部近傍に設けられた、少なくとも一つ以上の孔である。
仕切り板の周縁部近傍に設けられた孔に接着樹脂を保持できるので、仕切り板で孔を設けた部分と設けていない部分とを光ファイバ心線に接触させて、光ファイバ心線間に間欠的に接着樹脂を塗布することができる。また、空隙部が孔の場合、仕切り板の遠心力による保持された接着樹脂の飛び出しを防ぐことができるので、光ファイバ心線をより高速に走行させることができる。また、孔をあける加工は比較的簡単なため、加工費を低減できる。
【００１４】
（４）  （１）から（３）のいずれか一の光ファイバテープ心線の製造方法において、前記接着樹脂搬送ローラーは、動力で駆動されて回転する。
接着樹脂搬送ローラーが動力で駆動されているので、ローラーの径を変えなくても、間欠連結ピッチを任意に変えることができる。
【００１５】
（５）  （４）の光ファイバテープ心線の製造方法において、前記接着樹脂搬送ローラーよりも前記パスラインの上流側に光ファイバ心線の走行速度を検出するセンサが配置され、
前記センサが検出した走行速度の情報を用いて、前記接着樹脂搬送ローラーの回転速度を制御する。
テープ心線の走行速度を検知して、その情報に基づいて接着樹脂搬送ローラーの回転速度を制御することで、光ファイバ心線の走行速度が変動しても、所望の間欠連結ピッチを安定して実現できる。
【００１６】
（６）  （１）から（３）のいずれか一の光ファイバテープ心線の製造方法において、前記接着樹脂搬送ローラーは、動力により駆動されずに、前記光ファイバ心線とローラーとの摩擦により回転する。
接着樹脂搬送ローラーを動力により駆動せず、光ファイバ心線との摩擦で回転させることで、ローラーと光ファイバ心線間の滑りが最小になり、光ファイバ心線表面が損傷するのを抑えられる。また、光ファイバ心線の走行速度が変わっても、ローラーの回転速度も追随して変わるため、間欠連結ピッチが安定する。
【００１７】
本発明の実施形態に係る光ファイバテープ心線の製造装置は、
（７）  複数の光ファイバ心線を並行に並べてパスラインを走行させ、前記パスラインの途中に、前記光ファイバ心線のうちの隣り合う心線の間に長手方向に間欠的に接着樹脂を塗布する装置と、該接着樹脂を硬化させる装置と、を有する間欠連結型の光ファイバテープ心線を製造する製造装置であって、
前記間欠的に接着樹脂を塗布する装置は、
前記パスライン中に設置された円盤状のファイバローラーと、直径が円周方向で均一かつ前記ファイバローラーよりも直径が大きく、かつ周縁部近傍の円周方向の一部に接着樹脂を保持するための空隙部を有する円盤状の仕切り板と、を交互に積層してなる接着樹脂搬送ローラーと、
接着樹脂を貯留する接着樹脂槽と、からなる。
なお、上記の「直径が円周方向で均一」とは、円周方向の直径が厳密に均一であることを意味するものではなく、均一とみなされる範囲であれば本発明の効果を奏する範囲で幅を持つ意味である。
【００１８】
上記（７）の光ファイバテープ心線の製造装置によれば、走行中の光ファイバ心線を仕切り板とファイバローラーに接触させるが、仕切り板の空隙部を設けた部分では、この仕切り板に隣接する光ファイバ心線の側面に、空隙部に保持された接着樹脂が塗布される。このため、仕切り板で空隙部を設けた部分と設けられていない部分とを光ファイバ心線に接触させることで、光ファイバ心線間に間欠的に接着樹脂を塗布することができる。
また、光ファイバ心線の位置は接着樹脂搬送ローラーで固定されるので、位置決め精度を上げるための精密な機構は必要ない。
また、接着樹脂搬送ローラーを回転させながら硬化していない接着樹脂に浸すことで接着樹脂を供給するだけなので、接着樹脂を間欠的に供給する機構は必要がなく、このため、光ファイバを高速に走行させながら間欠的に樹脂を塗布できる。
よって、製造コストを高くすることなく、光ファイバ心線を高速に走行させて所望の形状に間欠的に連結した間欠連結型の光ファイバテープ心線を製造することができる。
【００１９】
（８）  （７）の光ファイバテープ心線の製造装置において、前記空隙部は、前記仕切り板の周縁部近傍に設けられたスリットである。
仕切り板の周縁部近傍に設けられたスリットに接着樹脂を保持できるので、仕切り板でスリットを設けた部分と設けられていない部分とを光ファイバ心線に接触させて、光ファイバ心線間に間欠的に接着樹脂を塗布することができる。
【００２０】
（９）  （７）の光ファイバテープ心線の製造装置において、上記空隙部は、前記仕切り板の周縁部近傍に設けられた、少なくとも一つ以上の孔である。
仕切り板の周縁部近傍に設けられた孔に接着樹脂を保持できるので、仕切り板で孔を設けた部分と設けていない部分とを光ファイバ心線に接触させて、光ファイバ心線間に間欠的に接着樹脂を塗布することができる。また、空隙部が孔の場合、仕切り板の遠心力による保持された接着樹脂の飛び出しを防ぐことができるので、光ファイバ心線をより高速に走行させることができる。また、孔をあける加工は比較的簡単なため、加工費を低減できる。
【００２１】
（１０）  （７）から（９）のいずれか一の光ファイバテープ心線の製造装置において、前記接着樹脂搬送ローラーを回転させる駆動部を備える。
接着樹脂搬送ローラーが駆動部により駆動されているので、ローラーの径を変えなくても、間欠連結ピッチを任意に変えることができる。
【００２２】
（１１）  （１０）の光ファイバテープ心線の製造装置において、前記接着樹脂搬送ローラーよりも前記パスラインの上流側に配置され前記光ファイバ心線の走行速度を検出するセンサと、
前記センサにより検出された前記走行速度の情報を用いて、前記駆動部を制御する制御部を備える。
センサにより光ファイバ心線の走行速度を検知でき、その走行速度の情報に基づいて接着樹脂搬送ローラーの回転速度を制御部により制御することができる。これにより、光ファイバ心線の走行速度が変動しても、所望の間欠連結ピッチを安定して実現できる。
【００２３】
（１２）  （７）から（９）のいずれか一の光ファイバテープ心線の製造装置において、前記接着樹脂搬送ローラーは、前記光ファイバ心線との摩擦により回転するように設置されている。
接着樹脂搬送ローラーは光ファイバ心線との摩擦により回転するように設置されているので、ローラーと光ファイバ心線間の滑りが最小になり、テープ心線表面が損傷するのを抑えられる。また、光ファイバ心線の走行速度が変わっても、接着樹脂搬送ローラーの回転速度も追随して変わるため、間欠連結ピッチが安定する。また、接着樹脂搬送ローラーを駆動する装置が必要ないので、より安価な装置構成が可能となる。
【００２４】
［本発明の実施形態の詳細］
本発明の実施形態に係る光ファイバテープ心線の製造方法および製造装置の具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００２５】
図１は、本実施形態に係る光ファイバテープ心線の製造装置１の概略構成図である。光ファイバテープ心線の製造装置１は、サプライボビン群２、センサ３、制御部４、駆動部５、上流側配列矯正ローラー６、接着樹脂搬送ローラー７、接着樹脂槽８、樹脂除去部材９、下流側配列矯正ローラー１０、接着樹脂硬化装置１１、巻取ボビン１２により構成されている。
【００２６】
サプライボビン群２は、複数のサプライボビン２ａ〜２ｄからなり、光ファイバ心線２１〜２４がそれぞれ巻かれている。複数の光ファイバ心線２１〜２４は、それぞれのサプライボビン２ａ〜２ｄから同一の走行速度となるように供給され、例えば、センサ３によって走行速度が検出される。これらの走行速度の情報は制御部４に送信される。
【００２７】
上流側配列矯正ローラー６は、複数の光ファイバ心線２１〜２４を平行に並べて配列させるために設けられたものである。この上流側配列矯正ローラー６を通過することにより、パスラインＰを走行する複数の光ファイバ心線２１〜２４は、平行な配列となるように矯正される。
【００２８】
制御部４は、例えば光ファイバ心線２１〜２４の走行速度の情報に基づいて駆動部５を制御する。駆動部５は、接着樹脂搬送ローラー７を駆動する。接着樹脂搬送ローラー７は、接着樹脂槽８に貯留されている硬化していない接着樹脂８ａを光ファイバ心線２１〜２４の線間に所望の間隔で塗布するためのローラーである。接着樹脂搬送ローラー７による接着樹脂の塗布の仕方の詳細については後述する。
【００２９】
下流側配列矯正ローラー１０は、接着樹脂搬送ローラー７によって、線間に所望の間隔で接着樹脂が塗布された光ファイバ心線２１〜２４を、接着樹脂硬化装置１１に送るまで平行な配列を保つように矯正させるものである。
【００３０】
接着樹脂硬化装置１１は、接着樹脂８ａを硬化させるための装置である（例えば、接着樹脂８ａが紫外線硬化樹脂である場合は、紫外線照射装置等である）。
巻取ボビン１２は、製造された間欠連結型の光ファイバテープ心線２０を巻き取るためのローラーである。
【００３１】
次に、本実施形態において、接着樹脂搬送ローラー７による接着樹脂８ａの塗布の方法について図を参照して詳細に説明する。図２は、接着樹脂搬送ローラー７と接着樹脂槽８の構成図である。
【００３２】
接着樹脂搬送ローラー７は、図１および図２に示すように、接着樹脂槽８に貯留されている硬化していない接着樹脂８ａ（例えば、液状の紫外線硬化樹脂）に、その一部が浸されるように設置されている。
【００３３】
図２の（ａ）およびそのＧ−Ｇ断面図である（ｂ）に示すように、接着樹脂搬送ローラー７は、円盤状のファイバローラー７２（７２ａ〜７２ｄ）と、ファイバローラー７２よりも直径が大きく、かつ周縁部近傍の一部に接着樹脂８ａを保持するための空隙部７４を有する円盤状の仕切り板７３（７３ａ〜７３ｃ）と、が交互に積層されている。さらに、両端のファイバローラー７２ａ，７２ｄの外側面は、それぞれ円盤状のガイドローラー７１ａ、７１ｂに挟まれている。
【００３４】
接着樹脂搬送ローラー７は、図２の（ａ）の矢印Ｈで示した方向に回転するように、例えば駆動部５によって駆動されている。すなわち、接着樹脂搬送ローラー７はその一部が図２の（ａ）の右側から接着樹脂槽８の接着樹脂８ａに浸され、左側から接着樹脂槽８の外へ出るように回転する。
【００３５】
また、例えば接着樹脂槽８の左側上方には、接着樹脂搬送ローラー７が接着樹脂槽８の外へ出た際に、ファイバローラー７２（７２ａ〜７２ｄ）の周縁部に押接されて接着樹脂８ａを除去する樹脂除去部材９（例えば、へら状の部材）が設けられている。
【００３６】
次に、仕切り板７３（７３ａ〜７３ｃ）の構成について説明する。
図３は、各仕切り板の構成図である。例えば図３に示すように、仕切り板７３（７３ａ〜７３ｃ）は、周縁部を周方向に複数の領域（例えば、領域Ａ〜Ｆ）に分けて、その一部の領域に開放されたスリット７４ａ（例えば、幅０．１ｍｍ程度のスリット）が空隙部７４として設けられている。例えば、仕切り板７３（７３ａ〜７３ｃ）のサイズの一例として、直径が３２．０ｍｍ、厚さ０．２ｍｍ、スリット７４ａの深さが０．４ｍｍである。この場合、仕切り板の円周は約１００ｍｍとなる。
【００３７】
図３の例では、光ファイバ心線２１と２２の間の仕切り板７３ａの領域Ａに空隙部７４が設けられている。
また、製造する光ファイバテープ心線の間欠連結ピッチ（特定の隣り合う２心の光ファイバ心線間の連結されている部分の長さと、連結されていない部分の長さの和）は、仕切り板の円周長に等しくなる。
さらに、特定の隣り合う２心の光ファイバ心線間の連結部長と非連結部長（例えば光ファイバ心線２１と２２の間の場合、それぞれ図５のＡ部の長さと、Ｂ，Ｃ，Ｄ，Ｅ，Ｆ部の長さの和）は、図３の仕切り板７３ａで空隙部７４が設けられた領域（例えば、角度θ１＝７２°）と設けられていない領域（３６０°−θ１＝２８８°）との周方向の長さによって設定できる。例えば、上記のように、仕切り板の円周を約１００ｍｍとし、上記角度θ１＝７２°とした場合は、連結部長（領域Ａの長さ）は２０ｍｍ、非連結部長（領域Ｂ、Ｃ、Ｄ、Ｅ、Ｆの長さの和）は８０ｍｍとなる。
光ファイバ心線２２と２３の間の仕切り板７３ｂ、光ファイバ心線２３と２４の間の仕切り板７３ｃも７３ａと同様の構造とすることにより、光ファイバ心線２１と２２の間と同じ連結部長、非連結部長とすることができる。このように、仕切り板７３ａ、７３ｂ、７３ｃの間の角度差を適切に設定することで、図５のような間欠連結型光ファイバテープ心線を製造することができる。
【００３８】
次に、本実施形態の光ファイバテープ心線の製造装置１を用いて、所望の形状に間欠的に連結した間欠連結型の光ファイバテープ心線２０を製造する製造方法について説明する。図４は、接着樹脂搬送ローラー７の回転による接着樹脂８ａの塗布を説明する領域ＡからＦの各断面図である。
【００３９】
図１で示したように、複数の光ファイバ心線２１〜２４は、上流側配列矯正ローラー６によって並行に並べられて、接着樹脂搬送ローラー７に送られる。接着樹脂搬送ローラー７では、図４に示すように、接着樹脂搬送ローラー７の回転に伴い、光ファイバ心線２１〜２４の各線間に、仕切り板７３（７３ａ〜７３ｃ）の領域ＡからＦが順に挟み込まれる。
【００４０】
領域Ａでは、光ファイバ心線２１と２２の間に挟み込まれた仕切り板７３ａのみに空隙部７４が設けられている。各ファイバローラー７２（７２ａ〜７２ｄ）の周縁部は、接着樹脂搬送ローラー７が接着樹脂槽８の外へ出た際に、樹脂除去部材９が押接されて接着樹脂８ａは除去されている。ところが、仕切り板７３ａの空隙部７４には、接着樹脂８ａが保持されているので、領域Ａでは、光ファイバ心線２１と２２との間に接着樹脂８ａが浸みだして、光ファイバ心線２１と２２との間に塗布される。
【００４１】
領域Ｂでは、仕切り板７３ａ〜７３ｃには空隙部７４が存在しないので、各光ファイバ心線には、接着樹脂８ａは塗布されない。
領域Ｃでは、光ファイバ心線２３と２４との間に接着樹脂８ａが浸みだして、光ファイバ心線２３と２４との間に塗布される。
領域Ｄでは、仕切り板７３ａ〜７３ｃには空隙部７４が存在しないので、各光ファイバ心線には、接着樹脂８ａは塗布されない。
領域Ｅでは、光ファイバ心線２２と２３との間に接着樹脂８ａが浸みだして、光ファイバ心線２２と２３との間に塗布される。
領域Ｆでは、仕切り板７３ａ〜７３ｃには空隙部７４が存在しないので、各光ファイバ心線には、接着樹脂８ａは塗布されない。
【００４２】
接着樹脂搬送ローラー７が１回転すると、再び領域Ａ〜Ｆによる接着樹脂８ａの塗布が行われ、以降繰り返される。
接着樹脂搬送ローラー７によって接着樹脂８ａが塗布された光ファイバ心線２１〜２４は、図５および図６のように線間に所望の間隔で接着樹脂が間欠的に塗布された状態となって、下流側配列矯正ローラー１０に送られる。
下流側配列矯正ローラー１０を通過することにより、光ファイバ心線２１〜２４は、平行な配列に矯正された状態となり、接着樹脂硬化装置１１に送られる。
【００４３】
平行な配列に矯正された光ファイバ心線２１〜２４は、接着樹脂硬化装置１１により、塗布された接着樹脂８ａが硬化される（例えば、接着樹脂８ａが紫外線硬化樹脂である場合は、光ファイバ心線２１〜２４に接着樹脂硬化装置１１から紫外線が照射されることにより、接着樹脂８ａが硬化される）。
【００４４】
接着樹脂硬化装置１１によって接着樹脂８ａが硬化された光ファイバ心線２１〜２４は、図５に示すような所望の形状に間欠的に連結した間欠連結型の光ファイバテープ心線２０として、巻取ボビン１２に巻き取られる。
【００４５】
以上、詳述した本実施形態に係る光ファイバテープ心線の製造装置１および製造方法によれば、走行中の光ファイバ心線２１〜２４を仕切り板７３とファイバローラー７２に接触させるが、ファイバローラー７２の周縁部は樹脂除去部材９により接着樹脂８ａが除去されているため、ファイバローラー７２に対する光ファイバ心線２１〜２４の接触面には接着樹脂８ａが塗布されない。
【００４６】
ところが、仕切り板７３の空隙部７４を設けた部分では、この仕切り板７３に隣接する光ファイバ心線２１〜２４の側面に、空隙部７４に保持された接着樹脂８ａが塗布される。このため、仕切り板７３で空隙部７４を設けた部分と設けられていない部分とを光ファイバ心線２１〜２４に接触させることで、光ファイバ心線間に間欠的に接着樹脂８ａを塗布することができる。
【００４７】
また、光ファイバ心線２１〜２４の位置は接着樹脂搬送ローラー７で固定されるので、位置決め精度を上げるための精密な機構は必要ない。また、接着樹脂搬送ローラー７を回転させながら、接着樹脂槽８に貯留された硬化していない接着樹脂８ａに浸すことで接着樹脂８ａを供給するだけなので、接着樹脂８ａを間欠的に供給する機構は必要がなく、このため、光ファイバ心線２１〜２４を高速に走行させながら間欠的に接着樹脂８ａを塗布できる。
【００４８】
よって、製造コストを高くすることなく、光ファイバ心線２１〜２４を高速に走行させて所望の形状に間欠的に連結した間欠連結型の光ファイバテープ心線２０を製造することができる。
【００４９】
また、上記空隙部７４として、仕切り板７３の周縁部近傍に設けられた開放されたスリット７４ａに接着樹脂８ａを保持できるので、仕切り板７３でスリット７４ａを設けた部分と設けられていない部分とを光ファイバ心線２１〜２４に接触させて、光ファイバ心線間に間欠的に接着樹脂８ａを塗布することができる。
【００５０】
上記実施形態では、空隙部７４を開放されたスリットとして設けられているものを示したが、空隙部７４は図７の変形例に示すように、例えば仕切り板７３の周縁部近傍に設けられた少なくとも一つ以上の孔７４ｂ（例えば、直径０．５ｍｍ程度の略円形状の孔）であってもよい。なお、図７では、仕切り板７３ａのみを示すが、他の仕切り板７３ｂ，７３ｃの空隙部７４も同様である。また、図７では、孔７４ｂは略円形状であるが他の形状であってもよい。
【００５１】
上記変形例によれば、仕切り板７３の周縁部近傍に設けられた孔７４ｂに接着樹脂８ａを保持できるので、仕切り板７３で孔７４ｂを設けた部分と設けていない部分とを光ファイバ心線２１〜２４に接触させて、光ファイバ心線間に間欠的に接着樹脂を塗布することができる。また、接着樹脂搬送ローラー７の回転による遠心力が、仕切り板７３に作用しても接着樹脂８ａが孔７４ｂの中に留まる。このため、接着樹脂８ａが外部へ飛び出すのを防ぐことができるので、光ファイバ心線２１〜２４をより高速に走行させることができる。また、孔７４ｂをあける加工は比較的簡単なため、加工費を低減できる。
【００５２】
また、接着樹脂搬送ローラー７を回転させる駆動部５を備え、接着樹脂搬送ローラー７が動力で駆動されているので、ローラーの径を変えなくても、光ファイバテープ心線２０の間欠連結ピッチを任意に変えることができる。
【００５３】
また、接着樹脂搬送ローラー７よりもパスラインＰの上流側に光ファイバ心線２１〜２４の走行速度を検出するセンサ３を配置して、センサ３が検出した走行速度の情報を用いて、接着樹脂搬送ローラー７の回転速度を制御しても良く、その場合、光ファイバ心線２１〜２４の走行速度が変動しても、光ファイバテープ心線２０の所望の間欠連結ピッチを安定して実現できる。
【００５４】
なお、接着樹脂搬送ローラー７は、駆動部５によって駆動されずに、複数の光ファイバ心線２１〜２４との摩擦により回転するように設置されたものでもよい。
この場合、接着樹脂搬送ローラー７を動力により駆動せずに、複数の光ファイバ心線２１〜２４との摩擦で回転させるので、ローラーと光ファイバ心線間の滑りが最小になり、光ファイバ心線表面が損傷するのを抑えられる。また、光ファイバ心線２１〜２４の走行速度が変わっても、接着樹脂搬送ローラー７の回転速度も追随して変わるため、間欠連結ピッチが安定する。
【００５５】
なお、上記実施形態では、複数の光ファイバ心線は光ファイバが４本のものを示したが、複数であれば、４本以外であってもよく、その場合、接着樹脂搬送ローラー７は、光ファイバ心線の本数に合わせた構成（ファイバローラー７２、仕切り板７３の数を合わせる）とすればよい。また、仕切り板７３はＡ〜Ｆの領域に分割したが、領域の数および分割の仕方はこれ以外のものであってもよい。
【符号の説明】
【００５６】
１  製造装置
２  サプライボビン群
２ａ〜２ｄ  サプライボビン
３  センサ
４  制御部
５  駆動部
６  上流側配列矯正ローラー
７  接着樹脂搬送ローラー
８  接着樹脂槽
８ａ  接着樹脂
９  樹脂除去部材
１０  下流側配列矯正ローラー
１１  接着樹脂硬化装置
１２  巻取ボビン
２０  光ファイバテープ心線
２１〜２４  光ファイバ心線
７１ａ、７１ｂ  ガイドローラー
７２、７２ａ〜７２ｄ  ファイバローラー
７３、７３ａ〜７３ｃ  仕切り板
７４  空隙部
７４ａ  スリット
７４ｂ  孔
【図１】
0006753099.tif 000002
【図２】
0006753099.tif 000003
【図３】
0006753099.tif 000004
【図４】
0006753099.tif 000005
【図５】
0006753099.tif 000006
【図６】
0006753099.tif 000007
【図７】
0006753099.tif 000008